(57)【要約】【課題】従来のパイプ型イカ角投入器は、場所をとること、カンナの状態を観察できないこと、遠投が必要なこと、極小イカ角は収納しにくいこと等の課題があった。【解決手段】複数のイカ角を整列配置するベース基板上に、隔壁と、透明な上面板とイカ角軸受台とイカ角軸端ストッパーとで構成したイカ角収納部を構成し、透明な上面板には隣り合う隔壁間の中央部に位置する部位でイカ角が収納される軸方向にスリットを形成し、当該スリットにイカ角軸に結接したハリスを導入して引き入れることで、前記イカ角収納部にイカ角を収納するとともに、前記ハリスに結接した幹糸を、摩擦力で保持する幹糸摩擦力保持器を構成することによりコンパクトで、カンナの状態を観察でき極小イカ角にも対応でき、且つ、イカ角の収納が容易で操作性が良いイカ角投入器を提供する。【選択図】  図１
2015019648.tif 000002
【特許請求の範囲】
【請求項１】
イカを引掛ける針であるカンナと、前記カンナを固着したイカ角軸から成るイカ角を複数個整列配置するベース基板を設け、当該ベース基板には前記複数個整列配置したイカ角間に垂直に隔壁を形成し、前記隔壁の下端部を前記ベース基板に固着し、前記隔壁の上端部間には一面に亘って上面板を固着し、且つ、前記上面板を固着した各々の隔壁間の当該上面板の中間位置には、前記イカ角の直径よりも細いスリットを形成して、前記イカ角のカンナを固着した反対側の軸端に結節されたハリスを、前記上面板のスリットの先端部からスリット内に導入して引き込み、前記引き込んだイカ角の軸端を受け止めるイカ角軸端ストッパーを前記上面板と前記ベース基板との間に固着して配置すると共に、前記隔壁および当該隔壁の上端部に固着した上面板が、前記ベース基板の端縁部よりもオーバーハングするように長く形成して成るイカ角収納部を有することを特徴とするイカ角投入器。
【請求項２】
請求項１記載のイカ角投入器において、前記ベース基板の下面側に台座基板を設け、当該台座基板に対して前記ベース基板上に形成した上面板、隔壁、イカ角軸端ストッパーおよびベース基板の一部から成る複数個のイカ角収納部を、ベース基板と一体的に前記イカ角の投入方向の海面に向かって回動自在に構成したことを特徴とするイカ角投入器。
【請求項３】
請求項１又は２記載のイカ角投入器において、前記イカ角収納部内の各々の隔壁間であって、前記ベース基板のイカ角投入方向側の端縁部から前記イカ角軸端ストッパー側に、前記上面板の下面との間が前記イカ角の軸が通過可能な空隙を有するように第一のイカ角軸受台を形成し、更に、前記第一のイカ角軸受台から前記イカ角軸端ストッパー側に、前記第一のイカ角軸受台よりもベース基板からの高さを高く、且つ、前記第一のイカ角軸受台と同様に,前記上面板の下面との間がイカ角の軸が通過可能な空隙を有する第二のイカ角軸受台を形成したことを特徴とするイカ角投入器。
【請求項４】
請求項１から請求項３のいづれか一項に記載のイカ角投入器において、前記台座基板のイカ角が投入される方向と反対側の端部には、前記スリットから抜き出た隣りあうハリスを結接した各々の幹糸を当該幹糸の中間点で折り返し、前記折り返した幹糸を挟み込むように構成した弾性体同士間に前記中間点で折り返した幹糸を挿入することによって、幹糸に摩擦保持力を与えるように形成した幹糸摩擦力保持部を複数個設けた幹糸摩擦力保持器を形成したことを特徴とするイカ角投入器。
【請求項５】
請求項１から請求項４のいづれか一項に記載のイカ角投入器において、前記台座基板を、折り曲げ自在に形成して前記台座基板を船べりと一体的に固定具で固定するように構成すると共に、前記固定具に固着した斜傾材に前記折り曲げた側の基板を前記斜傾材上に載置することによって、前記折り曲げた側の基板を船べりに対して傾斜するように構成したことを特徴とするイカ角投入器。
【発明の詳細な説明】
【技術分野】
【０００１】
本発明は複数のイカ角から成るイカ釣りセットのイカ角を、船上から海中に投入するイカ角投入器の発明に関し、特には遊漁船において、船上からイカ角の投入、投入後のイカ角を引き上げてからの取り込み、そして次の再投入という一連の動作をトラブルなくスムースに実施することを可能としたことを特徴とするイカ角投入器に関する。        
【背景技術】
【０００２】
イカ角の種類と構造を図２において説明する。図２のイカ角の１およびイカ角の２はプラ角と称されるイカ角で、軸の６ａおよび６ｂはプラスチックでできており、その先端に５ａおよび５ｂ、５ｃのカンナと称される先端が尖っていてイカを引っ掛けるための複数（通常８本）の金属針が固着されている。イカ角の１は、カンナが５ａの１組に対してイカ角の２はカンナが５ｂ、５ｃの２組固着されている。カンナが固着されている軸の反対側にはハリスと称されるナイロンの糸を結接するための穴、２０ａと２０ｂが形成されている。一方、イカ角の３と４は一般的にスッテと称される種類のイカ角で前記のプラズノに比べて浮力があり、軸太で軸が短く形成されている。カンナはプラズノ同様に１組のものと２組のものとが市販されている。このようにイカを引っ掛けるカンナと、そのカンナを固着した軸とで形成されているものを、通称、イカ角と称している。
【０００３】
図３に、図２のイカ角１に示すようなプラスチック軸を用いた一般的なイカ釣りセットの一例を示す。図３に示すようにイカ釣りセットの先端には、錘２３を容易に脱着可能にしたフックと称される部材２２が幹糸８ｈに結ばれている。幹糸８ｇは結接点９ｇで前記幹糸よりも細いナイロン糸の７ｇに結ばれ、それを介してイカ角１ｇが結ばれている。以下、図３では、順次イカ角１ａとハリス７ａに至るまで、７本のイカ角で構成したイカ釣りセットを示している。ハリス７ｇと結んだ幹糸８ｇは、図４の（ａ）に示す通称サルカン、またはヨリモドシと称される部材２１に結ばれる。前記フックとより戻しを結合した状況を図４の（ｃ）に表記する。図３において、例えば９ａから９ｂの間の幹糸の長さは一般的なイカ釣りセットでは１．２ｍ前後であり、したがって図３に示す一般的なイカ釣りセットの全長は、８ｍから１０ｍ前後になるような長いものである。
【０００４】
従来のイカ角投入器は、図５に示すようにイカ角の数に対応できる本数の円筒パイプ１０ａから１０ｇの中にイカ角１ａから１ｇを挿入しておいて、図５に表記した錘２３を海中に投げ入れることによって、前記円筒パイプに挿入していた前記イカ角が、円筒パイプの中から飛び出して順次海中に沈みこんでいくという方式が殆どである。図６には、円筒パイプ投入器の船上での配置の概要を示している。円筒パイプは図６に示すがごとく船べり６０に立てかけて使用する。前記円筒パイプの長さは１ｍ前後、筒の外径は６０から８０ｍｍ前後が一般的である。尚、イカの釣り場は通常１００ｍ以上の深さがあり、２５０ｍ以上に及ぶ場合もよくあるので、近年の遊魚船でのイカ釣りにおいては、図７に示すように１６のロッドキーパと称されている釣竿保持具が船べり６０に固定され、そのロッドキーパ１６に竿１２を固定し、リール１１を電動リールとした構成が殆どである。また、特開平１１−７５６２７号公報において角パイプにスリット形成して前記角パイプにイカ角を挿入するイカ角投入器が提案されているが、イカ角の装着に手間取ること、適正なイカ角の投入角度がないなどの課題が想定できる。また、実開平５−６７２６１号公報においてはイカ角を装着したときにイカ角間に隔壁がないため、イカ角の投入時に幹糸がイカ角に絡む可能性が高いことと、幹糸装着にスプリングでそろばん玉状の固体を押さえ込み二つの前記個体間に幹糸を挿入するように提案されているが、メカニック的に前記そろばん玉状の固体がスライドする方式は、軸と前記固体の接触部にごみの混入や軸と前記固体とのキンクなどが想定され、経時変化等も考慮すると安定した動作が得られないことが容易に想定できる。また、特開２００８−１４８６８０号公報において提案されているイカ角投入器では、板状の部材にイカ角毎に切り割りを形成し、前記切り割り部にイカ角を装着するだけであるので、風や船の振動に対して課題が残ることと、幹糸の装着を軟性体の部材で挟み込むだけであるので幹糸の保持力が弱い等の課題が考えられる。
【先行技術文献】
【特許文献】
【０００５】
【特許文献１】特開平１１−７５６２７号公報
【特許文献２】実開平５−６７２６１号公報
【特許文献３】特開２００８−１４８６８０号公報
【発明の概要】
【発明が解決しようとする課題】
【０００６】
イカ角投入器としては、殆ど、図５に示した円筒パイプ方式が使用されているが円筒パイプ方式においては図５で明らかなように、イカ角１ａから１ｇの自重を利用して図５の（ａ）に示すように円筒パイプ１０ａから１０ｇに落とし込み、この時、幹糸８ａから８ｇは前記円筒パイプから大きくはみ出さないように挿入するのであるが、図３に示すイカ釣りセットの各々のイカ角間の幹糸の長さは通常１２０ｃｍであり、したがって幹糸は６０ｃｍ挿入しないとはみ出すことになるが、風が強い日であって特にパイプ径が小さいものでは図５（ｂ）に示すように幹糸８ａから８ｄがパイプの下部まで挿入しにくい場合がある。幹糸がはみ出ている状態で錘２３を投入すると、空中に浮遊している幹糸８ａから８ｄのいづれかとイカ角が引っ掛かりからませる原因になる。また、図３、図４に示すスッテと称されるイカ角は全長５ｃｍ以下にもなる小さいものがあり、この場合、前記円筒パイプに落とし込もうとしても図５（ｂ）に示すように幹糸がパイプの下部まで入りきらないで上述したように幹糸とイカ角のからみの要因になる。この課題を軽減するためにパイプ径を大きくする傾向があるが、パイプの長さは１ｍ程度の長さがあり、イカ角の本数が７本から１０本に対応するための円筒パイプ投入器は大きくなり、狭い船内でこの大きさは問題がある。前述の幹糸とイカ角のからみの問題と合せてこれ等が第一の課題である。
【０００７】
市販されているイカ釣りセットでは７本のイカ角がセットされているのが一般的である。この場合、イカ角間の幹糸の長さは一般的に１．２ｍであるので図６に７本のイカ角が収納されているとすると、イカ角釣りセットの長さは７．２ｍになる。中にはイカ角を１０本や１２本の組み合わせで使用することもあり、この場合、最長１３．２ｍにもおよぶ長いものになる。したがって、図６に示す錘２３は遠投する必要に迫られる。例えば、イカ角の収納が７本として幹糸の全長が７．２ｍとすると、最後のイカ角が投入器の円筒パイプから抜け出すまでの遠投が必要になる。また、イカ角の先端のイカを引っ掛けるカンナが、投入時、円筒パイプから抜け出るときに円筒パイプの内壁面と接触して磨耗し鋭利さを損なう原因にもなる。これ等が第二の課題である。
【０００８】
一般的に使用されている図５に示す円筒パイプのイカ角投入器はプラスチックやアルミ、ステンレス等で製作されておりいづれも非透明である。したがって収納したイカ角の状況を観察することはできない。イカ釣りの場合、掛かったイカが特有のイカ墨を吐き出すことでイカ角の先端のイカを引っ掛けるカンナが前記イカ墨で汚れる場合がしばしばである。こうなると一般的に言われているようにイカが警戒して釣れなくなると言われている。また、イカ釣りの場合、外道に鯖が掛かることがしばしばであるが、このときに前記したカンナの針が変形することもよくあることである。しかし前述したように従来のパイプ型投入器では非透明であるため、円筒パイプ内に収納したイカ角の先端であるカンナの観察を常時することは出来ないため、その都度イカ墨をふき取ったりカンナの変形を修正したりすることが出来ないという不具合がある。これが第三の課題である。
【０００９】
以上述べたように一般的に利用されている従来の円筒パイプのイカ角投入器では第一の課題として、投入器自体が大きくて狭い船内で問題であることや幹糸とイカ角のからみの問題があり、第二の課題として、全長が７から１０ｍにもなるイカ角の仕掛けを海中に投入する場合、最後のイカ角が円筒パイプから抜け出すように前記錘を遠投しなければならないこと、および、イカを引っ掛けるカンナは、錘２３の投入に伴い円筒パイプから抜け出すときに円筒パイプの内壁面と接触して磨耗し鋭利さを損なうという不具合もある。第三の課題として、従来のパイプ型投入器ではパイプが不透明なため収納したイカ角のカンナに付着したイカ墨付着のチエックや、外道に鯖が掛かることなどによってカンナの針が変形することがあるが、前記したカンナの不具合を確認できず見落とすという不具合がある。本発明はこのような従来のイカ角投入器が有していた課題を解決し、釣果の向上に寄与するイカ角投入器を提供することを目的とするものである。
【課題を解決するための手段】
【００１０】
請求項１について説明する。本発明では複数個のイカ角を整列配置するベース基板を設け、前記複数個整列配置したイカ角間にベース基板に垂直に隔壁を形成し、当該隔壁の下端部を前記ベース基板に固着し、前記隔壁の各々の上端部には上面板を一面に亘って固着した。更に、当該上面板において、隣り合う固着した隔壁間の中間位置には、図３に示すイカ角の軸径よりも狭くて前記イカ角軸端に結接されたハリス直径よりも大きい幅のスリットを形成し、前記ハリスを前記上面板のスリットの先端部から導入して引き込むことによって、前記イカ角を前記イカ角収納部に個別に収納すると共に、イカ角軸端を受け止めるイカ角軸端ストッパーをベース基板に固着して配置した。当該イカ角軸端ストッパーの位置は、前記イカ角の軸端が前記イカ角軸端ストッパーに接触したとき、少なくともイカ角の先端に固着したイカを引っ掛ける針である通称カンナが、前記ベース基板のイカ角投入方向側の端縁部からオーバーハングする位置に配置すると共に、前記隔壁と前記上面板の、前記イカ角軸端ストッパーからの長さが、前記イカ角の長さよりも長く、且つ、前記ベース基板からの端縁部からオーバーハングするように形成すれば、イカ角が引上げられ時にイカ角先端のカンナが前記ベース基板の先端に引っ掛かることを防止することができる。上述の構成により各々のイカ角は、前記したベース基板、隔壁、上面板、スリット、イカ角軸端ストッパーから成るイカ角毎のイカ角収納部に、隣り合うイカ角相互の干渉がない状態で収納整理されるので、イカ角同士および幹糸とイカ角の絡みを防止することができる。尚、前記イカ角収納部は、隔壁の形状によって二種類の形態で実施することができる。すなわち、前記隔壁隔壁の上端部を、イカ角セットの錘を投入する方向に向かって上り傾斜に形成することによって、前記隔壁の各々の上端部間に一面に亘って固着した上面板をイカ角の投入方向に向かって拡開するように形成する方式と、前記隔壁の上端部を前記ベース基板の面と平行に形成する方式である。当該方式については請求項２の後段の説明の中で記載する。尚、請求項１の実施例については、図８および図９において説明する。
【００１１】
請求項２について説明する。請求項１に記載したイカ角収納部に収納した各々のイカ角を海中に投入する場合、前記イカ角収納部を構成したベース基板の下面側に構成した台座基板を船べりに載置して、前記船べりに固定し前記台座基板と蝶番等で係合した前記ベース基板をイカ角投入方向の海面側に傾斜させることによって、図３に示すイカ釣りセットは、錘を遠投させることなく船べりの１から２ｍの近傍に投入するだけでそれぞれハリス７ａから７ｇに結接されたイカ角１ａから１ｇは前記錘２３の沈下に伴い海中に順次沈下していくように構成することができる。したがって従来の円筒パイプ式投入器のように遠投する必要はなくなる。尚、イカ角セットの錘を投入する方向に向かって上り傾斜に形成し、上面板をイカ角の投入方向に向かって拡開するように形成した場合、市販されている一般的なイカ釣りセットはイカ角の本数が７本でイカ角間の幹糸の長さが１．２ｍであるが、遠投しても支障がないことを確認した。イカ角の本数が１０から１２本になった場合は、イカ角間の幹糸が隣り合う前記スリット間に引っ掛かることがあるが、この場合、前述したように前記ベース基板を海面側に傾斜させれば支障なく前記錘２３の沈下に伴いイカ角は沈下していくことになる。したがって、前述の上面板がイカ角セットの投入方向に向かって拡開するように構成した投入器においては、錘２３を遠投して前記錘が海面に着水するのを見定めてから、イカ角収納部を形成したベース基板を海面方向に傾斜させれば、１０から１２本以上を収納可能としたイカ角投入器においても投入による支障は生じない。また、予め、イカ角収納部を形成したベース基板を海面方向に傾斜させておいてから前記錘２３を投入するようにしても良い。前記上面板をイカ角の投入方向に向かって拡開するように形成した投入器の実施例については、図１０において説明する。一方、実施のもう一つ形態として、前記ベース基板に固着した隔壁の上端部を前記ベース基板の面に対して平行に形成し、前記隔壁の各々の上端部間に一面に亘って固着した上面板を、前記ベース基板の面に対して平行に形成するように構成した場合、前記したベース基板上に形成したイカ角収納部を、予め前記ベース基板と一体的に海面に向けて回動、傾斜させてから投入することによって、船べり直近近傍への投入が可能になる。前記した隔壁の上端部をベース基板の面に対して平行に形成した形態の第二の実施例については図１１において説明する。このように請求項２による発明では、上面板をイカ角の投入方向に対して拡開させて、遠投も、船べり直近投入も可能とする形態と、上面板を前記ベース基板と平行に形成して、船べり直近近傍への投入だけに特化した形態の２種を実施することができる。
【００１２】
請求項３について説明する。本発明では前記イカ角収納部内のベース基板のスペースに、上面板の下面とベース基板との間で、イカ角軸が通過可能な空隙を有するようにベース基板からの高さに形成したイカ角軸受け台を前記イカ角収納部毎に固着した。前記軸受け台によって、図２の１や図２の２に示す１１，１４，１８ｃｍの長さを有す通常のプラスチック製イカ角を海中から引上げ、イカ角の軸端に結接されているハリスを前記のスリットに挿入してイカ角軸端ストッパー側へ引き込む時に、イカ角の軸が前記上面板方向に向かって跳ね上げられ、ベース基板の端縁部よりオーバーハングした前記隔壁の下部よりも上面板側の高い位置に収納されるので、イカ角のカンナが隔壁の下端部から下方にはみ出して隣り合うイカ角間で絡み合う不具合を避けることが出来る。更に本発明ではイカ角軸受け台を２段構成にして、イカ角が引き込まれる側のベース基板の端縁部側に近い方のイカ角軸受台を第一の軸受台とし、前記ベース基板の端縁部側から離れる方向であって前記第一の軸受台の後方にベース基板からの高さを前記第一の軸受台よりも高くした第二のイカ角軸受台を構成した。前述したようにイカ角軸受台を２段構成にすることによって、図２の３や図２の４に示す軸太のスッテ型イカ角の中で、５ｃｍ以下の極小イカ角であっても、前記第一の軸受台で前記スッテのイカ角軸が跳ね上げられ、更に、第二の軸受台で同様に跳ね上げられることによって、短軸のスッテ型イカ角のカンナがベース基板の端縁部および第一のイカ角軸受台の端縁部に引っ掛かることを防止出来るように考案した。尚、前記上面板をイカ角の投入方向に向かって拡開するように形成した投入器へ適用した例についての詳細は図１２において説明したが、前記上面板が前記ベース基板と平行になるように形成した方式についても同様に適用できる。
【００１３】
請求項４について説明する。  前記イカ角収納部を構成したベース基板の下面側に構成した台座基板において、イカ角が投入される方向と反対側の前記台座基板の端部には、請求項２記載の上面板のスリットから抜き出たハリスを結接した幹糸であって、隣り合うハリスを結接した幹糸を中間点で折り返し、当該幹糸を弾性体相互間に挿入することによって前記弾性体に変形を生じせしめ、当該変形によって挿入した幹糸に押付力が作用し、前記挿入した幹糸と前記弾性体間の摩擦係数に前記押付力を乗じた摩擦力を幹糸に作用させるように形成した幹糸摩擦力保持部を、前記基板に配置されるイカ角の数に対応して複数個設けた幹糸摩擦保持器を形成した。したがって、幹糸は引き抜こうとする一定の力には抗して安定して保持されるので空中に浮遊することはなくなり、幹糸同士あるいは幹糸とイカ角が絡み合ってトラブルになることを防止できる。詳細は図１３において説明する。
【００１４】
請求項５について説明する。請求項２から請求項５記載のイカ角投入器において、前記台座基板のうちの前記摩擦保持器を設置している側を前記台座基板と二つに折り曲げ自在に形成し、二つに折り曲げた台座基板の船内側の方をガイド基板として、ガイド基板を船底方向に傾斜させてセット出来るようにした。そのために前記台座基板を船べりと一体的に固定するための固定具に斜傾材を固着し、当該斜傾材の傾斜面上に前記ガイド基板を載置するように構成した。この結果、前述した中間点で折り返した幹糸を幹糸摩擦力保持部に挿入する場合に操作性が良くなること、および、イカ角投入器の実質的な長さが縮小されて多少とも釣り人と船べりの間の空間が広くなること、および、前記台座基板を二つに折り曲げ自在に形成したことによって、収納形態がコンパクトになり持ち運びの利便性が増すこと等の効果がある。詳細は図１４において説明する。
【発明の効果】
【００１５】
前述した構成によって複数個からなるイカ角は、各々、隔壁、上面板、ベース基板、およびイカ角ストッパーによって構成されるイカ角収納部によって仕切られた空間内に収納されるので相互に絡み合うことを防止でき、且つ、幹糸摩擦力保持部に幹糸を挿入することによって、幹糸も安定的に保持できるので、船の振動や風によって前記複数個のイカ角同士及び、イカ角と幹糸が強風などによって絡み合うというトラブルを防止することができる。イカ角の投入も前記上面板をイカ角の投入方向に向かって拡開するように形成した投入器においては、イカ角の本数が７本以下の場合は遠投することも、また、前記したようにベース基板を回動させることによって、船べりの直下、または船べりから１から２ｍ離れた直近への投入ができ、また、一方、前記上面板をベース基板の面と平行に形成した投入器においては、予め、前記したベース基板を海面方向に向けて傾斜できるように構成したことによって直下、または船べりから１から２ｍ離れた直近への投入を可能にした。したがって、従来の円筒パイプ投入器のように遠投時の自らの投入ミスで隣の釣り人のイカ釣りセットに絡ませることを気にかけるという問題もなくすることができる。また、直下投入のメリットはイカ角全てを引上げなくてもイカが掛かっているイカ角までを引上げてイカを取り込んだら前記したベース基板を傾斜させることでイカ釣りセットの錘の自重だけで沈下するので、従来の円筒パイプ投入器では全てのイカ角を引上げてから再投入しているが、この点、本発明による投入器はイカを取り込んでから再投入までの時間を短縮でき釣り果の向上に寄与できる。また、イカ角の長さが異なっても前記の隔壁、イカ角軸端ストッパーで構成されるイカ角収納部の長さの範囲でイカ角の長さや形状の違いにも対応でき、例えば従来の円筒パイプ投入器では筒の中に落とし込むことには難点がある５ｃｍ以下の極少イカ角にも、前述したように第一のイカ角軸受台と第二のイカ角軸受台とを各々のイカ角収納部内に形成することによって対応できる。また、前記上面板を透明材で構成することによってイカ墨がイカ角のカンナに付着しているかどうかの観察が出来るので、適宜対応できることや、イカ角に鯖等が掛かりイカ角のカンナを変形させることがあるが、このカンナの変形も常時チエックできるので適宜修正することができる。また、従来の円筒パイプ投入器ではイカ角が前記パイプから抜け出るときに、カンナの先端がパイプ内壁面とこすれあいカンナの針先の鋭利さが失われることがあるがこの問題もない。さらに従来の円筒パイプ投入器は船上でかなりのスペースを占有するが、本発明の投入器はコンパクトで持ち運びに大きな荷物にならないことや、船上でスペースをとらない等の長所もある。本発明は上述した特長によって、快適でより釣果を向上させる効果を有するイカ角投入器を提供することができる。
【図面の簡単な説明】
【００１６】
【図１】本発明によるイカ角投入器
【図２】イカ角の種類
【図３】イカ釣りセットの標準的な構成図
【図４】サルカン（または、ヨリモドシ）とフックの形状図
【図５】従来の円筒パイプによるイカ角投入器
【図６】円筒パイプによるイカ角投入器の船上配置図
【図７】釣竿と電動リールをロッドキーパで船べりに固定した図
【図８】請求項１実施の構成例−１
【図９】請求項１実施の構成例−２
【図１０】請求項２実施の構成例−１
【図１１】請求項２実施の構成例−２
【図１２】請求項３実施の構成例
【図１３】請求項４実施の構成例
【図１４】請求項５実施の構成例
【発明を実施するための形態】
【００１７】
以下、本発明を実現するための実施例について、図１および、図１０から図１４について説明する。図１については段落００２５で説明する。尚、本発明に関わらない図２から図７については、段落０００２から段落０００４において記述した。
【００１８】
図８について説明する。図８は請求項１の実施の一例であって、上面板がイカ角投入方向に向かって拡開した形態の実施の一例である。図８の（ａ）は平面図、（ｂ）は側面図、（ｃ）は正面図、（ｄ)は海中から引上げられたイカ角が、ベース基板１０４の端縁部に接触した状態を示す。図８の（ａ）において、ベース基板１０４には、複数個整列配置したイカ角１ａから１ｇの間に、それぞれ、ベース基板の面に対して垂直に隔壁１０３ａから１０３ｈを形成し、当該隔壁の下端部を前記ベース基板１０４に固着し、前記隔壁の上端部をイカ角セットの錘を投入する方向に向かって上り傾斜に形成することによって、前記隔壁の各々の上端部間に一面に亘って固着した上面板１０５（１０５ａから１０５ｈ）をイカ角の投入方向に向かって角度θで拡開するように形成した。更に、前記上面板の隣り合う隔壁間の中間位置には、図３に示すイカ角の軸径よりも狭くて前記イカ角軸端に結接されたハリス直径よりも大きい幅のスリット１０６ａから１０６ｇを形成し、ハリス７ａから７ｇを順次、前記上面板のスリット１０６ａから１０６ｇの先端部から導入して引き込み、前記イカ角の引き込み限としてイカ角軸端を受け止めるイカ角軸端ストッパー１０７を前記ベース基板１０４と前記上面板１０５の間に固着して配置した。当該イカ角軸端ストッパー１０７の位置は前記イカ角の軸端が前記イカ角軸端ストッパー１０７に接触したとき、少なくとも前記イカ角１ａから１ｇのカンナ５ａから５ｇが、前記ベース基板１０４の端縁部からオーバーハングする位置に配置すると共に、前記隔壁と上面板の、前記イカ角軸端ストッパー１０７からの長さが、前記イカ角の長さよりも長く形成して前記ベース基板１０４からの端縁部からオーバーハングするように形成すれば、図８の（ｃ）において明らかなように、イカ角が引上げられ時にイカ角先端のカンナが前記ベース基板の先端に引っ掛かることを防止することができる。上述の構成により、前記のベース基板、隔壁、上面板、スリット、イカ角軸端ストッパーから成るイカ角毎のイカ角収納部１０８ａから１０８ｇに各々のイカ角は収納整理されるので、幹糸とイカ角の絡みを防止することができる。図８の（ｄ）は海中から引上げられたイカ角１ｇの軸端に結接されているハリス７ｇを、上面板のスリット１０６ｇに挿入し、イカ角軸端ストッパー１０７方向に引き込もうとする状態を示し、このときイカ角１ｇの軸がベース基板１０４の端縁部に接触し、前記ハリス７ｇを引き込む作用によって傾斜した状態を示している。この状態から更にハリス７ｇを前記イカ角軸端ストッパー側に引き込めば、イカ角軸端ストッパーにイカ角７ｇの軸端が接触して、図８の（ｃ）に示した状態で保持される。イカ角１ａから１ｇが図８の（ｃ）と同じようにセットされている状態で、イカ角間の幹糸の長さが１．２ｍの市販されている標準的なイカ釣りセットでイカ角の本数が７本以下であれば、従来型のパイプ式筒型投入器と同様に、錘２３を遠投することによりイカ角を投入することも可能である。但し、イカ角が８から１０本以上になる場合の投入の仕方、および、遠投でなく直近への投入については後段の段落００２０において記載する。
【００１９】
図９について説明する。図９は請求項１の実施の一例で、段落００１０で記述した上面板が前記ベース基板の面に対して平行に形成した形態の実施の一例である。図９の（ａ）は平面図、（ｂ）は側面図、（ｃ）は正面図、（ｄ)は海中から引上げられたイカ角が、ベース基板１０４の端縁部に接触した状態を示す。図９の（ａ）において、ベース基板１０４には、複数個整列配置したイカ角１ａから１ｇの間に、それぞれ、ベース基板の面に対して垂直に隔壁１０３ａから１０３ｈを形成し、当該隔壁の下端部を前記ベース基板１０４に固着し、前記隔壁の上端部をベース基板１０４の面と平行に形成し、隔壁の各々の上端部間に一面に亘って固着した上面板１０５（１０５ａから１０５ｈ）をベース基板１０４の面と平行に形成した。
更に、前記上面板の隣り合う隔壁間の中間位置には、図３に示すイカ角の軸径よりも狭くて前記イカ角軸端に結接されたハリス直径よりも大きい幅のスリット１０６ａから１０６ｇを形成し、ハリス７ａから７ｇを順次、前記上面板のスリット１０６ａから１０６ｇの先端部から導入して引き込み、前記イカ角の引き込み限としてイカ角軸端を受け止めるイカ角軸端ストッパー１０７を前記ベース基板１０４と前記上面板１０５の間に固着して配置した。当該イカ角軸端ストッパー１０７の位置は前記イカ角の軸端が前記イカ角軸端ストッパー１０７に接触したとき、少なくとも前記イカ角１ａから１ｇのカンナ５ａから５ｇが、前記ベース基板１０４の端縁部からオーバーハングする位置に配置すると共に、前記隔壁と上面板の、前記イカ角軸端ストッパー１０７からの長さが、前記イカ角の長さよりも長く形成して前記ベース基板１０４からの端縁部からオーバーハングするように形成すれば、図９の（ｃ）において明らかなように、イカ角が引上げられ時にイカ角先端のカンナが前記ベース基板の先端に引っ掛かることを防止することができる。上述の構成により、前記のベース基板、隔壁、上面板、スリット、イカ角軸端ストッパーから成るイカ角毎のイカ角収納部１０８ａから１０８ｇに各々のイカ角は収納整理されるので、幹糸とイカ角の絡みを防止することができる。図９の（ｄ）は海中から引上げられたイカ角１ｇの軸端に結接されているハリス７ｇを、上面板のスリット１０６ｇに挿入し、イカ角軸端ストッパー１０７方向に引き込もうとする状態を示し、このときイカ角１ｇの軸がベース基板１０４の端縁部に接触し、前記ハリス７ｇを引き込む作用によって傾斜した状態を示している。この状態から更にハリス７ｇを前記イカ角軸端ストッパー側に引き込めば、イカ角軸端ストッパーにイカ角７ｇの軸端が接触して、図９の（ｃ）に示した状態で保持される。前述した上面板がベース基板に対して平行な方式のイカ角の投入方法については、段落００２１において説明する。
【００２０】
図１０について説明する。図１０は請求項２の実施の一例である。図１０の（ａ）は平面図、（ｂ）は側面図、（ｃ）は正面図、（ｄ）はベース基板１０４を回動させた状態を示す。図１０の（ｅ）と（ｆ）は前記ベース基板の回動着脱器１６０の実施例を示す。本発明では、ベース基板１０４上に隔壁１０３ａから１０３ｈ、上面板１０５（１０５ａから１０５ｈ）、イカ角軸端ストッパー１０７から成るイカ角収納部１０８ａから１０８ｇを構成し、前記ベース基板の上面の反対面である下面側に台座基板１５５を設け、前記ベース基板と蝶番１５６ａ、１５６ｂ等で係合して、前記台座基板を船べり６０に載置して固定具４７ａおよび４７ｂによって固定し、前記台座基板とした前記ベース基板を海面側に傾斜させることによって、イカ釣りセットは、錘を遠投させることなく船べりの直下または１から２ｍの近傍に投入するだけで、それぞれハリス７ａから７ｇに結接されたイカ角１ａから１ｇは前記錘２３の沈下に伴い海中に順次沈下していくように構成した。尚、前記上面板の傾斜角θを２０度近傍に設定した場合、７本までのイカ角セットであれば従来のパイプ型投入器と同様に遠投しても支障がないことを確認していることから、図１０において表記した台座基板１５５を削除して、前記台座基板１５５を船べり６０に固定具４７ａ、４７ｂで固定したように、前記ベース基板１０４を前記固定具４７ａ、４７ｂで固定できる長さに変更し前記船べり６０に固定し、前記ベース基板回動用の蝶番１５６ａ、１５６ｂやベース基板の回動着脱器１６０および前記した台座基板１５５を割愛して、ベース基板１０４が回動しない固定型投入器として構成しても構わない。尚、図１０の（ｅ）と（ｆ）には台座基板１５５に対してベース基板１０４を回動可能にしたり、回動をロックしたりするベース基板の回動着脱器１６０の実施の一例を示した。図（ｅ）においてベース基板の下面には断面がＬ字形状のスライダー把持器１６２を固着し、台座基板１５５にはスライダーのガイド部１６３が固着されその中にスライダー１６１が組み込まれている。前述の構成においてスライダー１６１をベース基板１０４に固着したＬ字形状のスライダー把持器１６２に挿入して、図１０の（ｅ）の状態にセットすれば、ベース基板１０４と台座基板１５５は一体的に固持されるので、ベース基板１０４は回動不可の状態にお保持される。前記イカ角を海中から引上げて、前記イカ角収納部にセットする場合は前記した回動不可の状態で実施すればよく、逆にイカ角を海中に投入する場合は図１０の（ｆ）のようにスライダー１６１をベース基板側のＬ字形状のスライダー把持器１６２から引き抜いた状態にしておけばよい。
【００２１】
図１１について説明する。請求項２の実施の一例として、図１０には上面板１０５ａから１０５ｈがイカ角の投入方向に角度θで拡開した形態のイカ角投入器について説明したが、図１１には請求項２の他の実施の一例として、上面板１０５（１０５ａから１０５ｈの総称）がベース基板１０４の面と平行に形成したイカ角投入器の例を記載した。図１１示したイカ角投入器と図１０に示したイカ角投入器の構成上の違いは、図１０に示した投入器の上面板１０５がベース基板１０４の面に対してイカ角を投入する方向に対して角度θで拡開しているのに対して、図１１に示す投入器では前記上面板１０５がベース基板１０４の面に対して平行になっているという違いだけである。図１１に示した投入器ではベース基板１０４を回動、傾斜させない状態、すなわち、図１１の（ｃ）の状態でイカ角セットの錘２３を上面板１０５の上面から角度αで投入すると、ハリス７ａから７ｇを挿入しているスリット１０６ａから１０６ｇでイカ角１ａから１ｇの軸端がブロックされて前記イカ角１がイカ角収納部１０８ａから１０８ｇからぬけきれなくて、場合によっては錘２３の投入によってハリスが切断することもあり得るので、図１１に示した実施例の形態では必ずベース基板１０４を回動、傾斜させてからでないと投入できない。また、図１１の（ｃ）の状態、すなわちベース基板１０４と台座基板１５５の傾斜角度が０度の状態で錘２３を投入すると、９ａから９ｇに示すハリス７（７ａから７ｇの総称）と幹糸８(８ａから８ｈの総称）の結接による結接点９ａから９ｇのコブが各々の１０６ａから１０６ｇのいづれかにに引っ掛かり錘２３が海中に沈下していかないという不具合が発生する可能性がある。したがって、前記不具合を発生させないためにベース基板１０４を台座基板１５５に対して回動可能に構成した。前記回動を可能にするために前記ベース基板と台座基板とを蝶番１の１５６ａと１５６ｂで係合した。そして、回動角度θを制限するために傾斜制限器１５９を設けた。前記座基板１５５に対するベース基板１０４の傾斜角度θは３０度以上あれば、イカ釣りセットの錘２３を船べり６０近傍１から２ｍに投入しても、前記結接点９ａから９ｇのコブは傾斜角度θによる上面板１０５（１０５ａから１０５ｈ）の傾斜面を支障なく滑り落ちることを試験的に確認した。図１１に示した上面板１０５をベース基板１０４の面と平行に形成した投入器の実施例では、スライダー１６１、スライダー把持器１６２およびスライダーガイド１６３から成るベース基板の回動着脱器１６０のスライダー１６１を、ベース基板に固着しているスライダー把持器１６２から抜き出すことによって前記ベース基板１０４と、前記台座基板１５５のロック状態を解除して、前記ベース基板を海面方向に回動させてから、イカ角セットの錘２３を船べり６０の直下近傍への投入することになる。イカ角１を引上げてイカ角収納部１０８にセットするときには、前記スライダー１６１をベース基板１０４に固着しているスライダー把持器１６２に挿入して前記ベース基板１０４と台座基板１５５を一体的にロック状態にしてから引上げるようにすればよい。前述のように台座基板１５５と蝶番１５６ａ１５６ｂで係合したベース基板１０４��海面側に傾斜させることによって、図３に示すイカ釣りセットは、錘２３を船べりの直下または１から２ｍの近傍に投入するだけで、それぞれハリス７ａから７ｇに結接されたイカ角１ａから１ｇは錘２３の沈下に伴い海中に順次沈下していくことになるので従来の円筒パイプ式投入器のように遠投する必要はなくなる。
【００２２】
図１２に請求項３の実施の一例を示す。図１２の（ａ）は平面図、（ｂ）は側面図、（ｃ）は正面図である。請求項３は図２の（３）と（４）に示したスッテと称されているイカ角は軸太で長さが５ｃｍ前後と短いために、前記スッテを海中から引き上げて図１２の（ｂ）に記載したイカ角収納部１０８ａから１０８ｇに収納しようとする場合、図１２の（ｆ）において明らかなように、第一のイカ角軸受台１５１ｇがない場合を想定すると、スッテ１ｇのカンナ５ｇがベース基板１０４の先端部に引っ掛かることが判る。請求項３はこの課題に対応するために考案したものである。この課題に対応するために図１２の（ｂ）に表記した１０８ａから１０８ｇのイカ角収納部内の隣り合う隔壁間に、それぞれ第一の軸受台１５１ａから１５１ｇを配置し、その後方に図１２で明らかなように第二のイカ角軸受台１５２を配置した。当該第一の軸受台の効果は、例えばスッテ１ｇを引上げる場合を想定したとすると、図１２の（ｅ）で判るとおり、スッテ１ｇの軸が前記第一の軸受台１５１ｇの上面に接した時に、前記スッテ１ｇのハリス７ｇを引っ張って前記スッテ１ｇを引上げる力で当該スッテは跳ね上げられるので、ベース基板１０４の先端部に引っ掛かるという不具合を回避することが出来る。そのためにはイカ角が投入される側のベース基板１０４の先端部から５〜９ｍｍの位置に、高さ１０ｍｍの第一のイカ角軸受台１５１ｇを配置すれば良いことを実験的に確認した。次に、第二のイカ角軸受台１５２を配置した。前記第一の軸受台１５１ａから１５１ｇは１ａから１ｇに示すスッテの５ａから５ｇカンナがベース基板１０４の先端部に引っ掛かることを回避するために配置したが、当該第二のイカ角軸受台１５２は、更にスッテをイカ角ストッパー１０７に接触するまで引き入れようとする時に、前記第一のイカ角軸受台に前記カンナが引っ掛かることを回避するために配置するものであり、前記第一のイカ角軸受台１５１は個別にイカ角毎の隔壁間に配置したが、当該第二のイカ角軸受台は個別にする必要はなく一体で形成されている。そしてその位置と高さはベース基板１０４の先端部から２６から３０ｍｍの範囲であって高さ２０ｍｍであれば良いことを実験的に確認した。尚、これ等の配置に関わる数値の組み合わせは多様にあるものであって、前記の寸法に限定されるものではない。次に、スッテ１ｇを引上げる時の挙動について説明する。図１２の（ｆ）において、ハリス７ｇを図１２の（ａ）に示すスリット１０６ｇに挿入してイカ角ストッパー１０７方向に引き込む時、スッテ１ｇは図１２の（ｆ）に示すようにベース基板１０４の先端部に接して傾斜する。更にハリス７ｇを引き込むと、図１２の（ｅ）に示すようにスッテ１ｇの軸太部が第一の軸受台１５１ｇの上面と接することにより、スッテ１ｇのカンナ５ｇの先端部がベース基板１０４の先端部に引っ掛からない位置まで跳ね上げられ、ベース基板にカンナが引っ掛かる不具合を解決することができる。更にハリス７ｇをイカ角ストッパー１０７方向に引き込めば図１２の（ｄ）に表記したようにスッテ１ｇの軸太部と第二の軸受台１５２の上面と接することにより、スッテ１ｇのカンナ５ｇの先端部が第一のイカ角軸受台に引っ掛からない位置まで再度跳ね上げら、更にハリス７ｇをイカ角軸端ストッパー１０７方向へ引き込めば、スッテ１ｇの軸端がイカ角軸端ストッパー１０７に接してそれ以上引き込まれることはなく、図１２の（ｃ）に示す状態でスッテ１ｇは保持されるれる。上記したように第一のイカ角軸受台、第二のイカ角軸受台を配置することによって５ｃｍ前後と短く軸太のスッテと呼ばれているイカ角も、１１ｃｍや１４ｃｍの軸長を有する一般的なプラスチックイカ角同様に、図１２の（ｂ）に表記したイカ角収納部１０８ａから１０８ｂに収納することが可能になる。尚、前述の５ｃｍ前後の短い長さのスッテという種類のイカ角を使用しない投入器においては、前述の第一のイカ角軸受台や第二の軸受台を配置する必要はないことは言うまでもないことである。但し、前記した第二の軸受台だけを配置すれば、１１、１４、１８ｃｍの長さのプラスチック製イカ角を収納したときに、前記イカ角軸をベース基板１０４の底面と平行に、且つ、水平に保持することができるので第二の軸受台だけを配置したイカ角投入器としても構わない。
【００２３】
図１３について説明する。図１３は請求項４記載の幹糸摩擦力保持器１２１の実施の形態の一例を示す。図１３において、（ａ）は平面図、（ｂ）は側面図、（ｃ）は正面図を示し、（ｄ）は幹糸摩擦力保持器１２１内に構成された幹糸摩擦保持部１２２ａから１２２ｇのうちの１２２ｇの拡大図を示す。そして、（ｆ）は前記（ｄ）の側面図を、（ｅ）は前記（ｄ）のＺ−Ｚ断面図を示す。図１３の（ａ）において、上面板１０５のスリット１０６ａから１０６ｇから引き出されたハリス７ａから７ｇを結接した幹糸８ａから８ｈであって、隣り合う前記ハリスを結接した前記幹糸を中間点近傍で折り返して二重になった８ａから８ｇ、８ｈを、幹糸摩擦力保持器１２１の幹糸摩擦力保持部の１２２ａから１２２ｆ内に前記幹糸ごとに形成されている弾性体１２３ａａから１２３ｇｂの間にそれぞれの前記幹糸８ａから８ｈを挿入することによって前記弾性体に変形を生じせしめ、当該変形によって挿入した幹糸に押付力が作用し、前記挿入した幹糸と前記弾性体間の摩擦係数に前記押付力を乗じた摩擦力を幹糸に作用させるように形成した幹糸摩擦力保持部を、前記基板に配置されるイカ角の数に対応して複数個設けた幹糸摩擦保持器を形成した。したがって、幹糸は引き抜こうとする一定の力には抗して安定して保持されるので、前記幹糸８ａから８ｈは風や船の振動等の影響を受けにくくなり、幹糸が空中に浮遊することはなくなり、幹糸同士あるいは幹糸とイカ角等とが絡み合ってトラブルになることは防止できる。前述した機能について図１３の幹糸摩擦力保持器１２１の幹糸摩擦力保持部１２２ｇの拡大図（ｄ）、前記拡大図（ｄ）の側面図（ｆ）、及び、前記（ｄ）のＺ−Ｚ断面図（ｅ）において説明する。前記図１３の（ｄ）に示した幹糸摩擦保持部１２２gの拡大図において、幹糸摩擦力保持器１２１には、幹糸とハリスの結接点である７ｇで折り返した幹糸８ｆと８ｇを挿入するための図１３の（ｆ）に示す弾性体配置溝１３６ｇを形成し、当該弾性体配置溝には、挿入された幹糸８ｆと８ｇをはさみ込むように弾性体１２３ｇａと１２３ｇｂを形成した。そして前記弾性体１２３ｇａと１２３ｇｂは前記弾性体配置溝１３６ｇに露出した部位以外は幹糸摩擦保持器１２１内に埋設した。前述の構成によって幹糸摩擦力保持部１２２ｇに挿入した幹糸８ｆと８ｇによって弾性体１２３ｇａと１２３ｇｂは図１３の（ｆ）に示すがごとく変形され、この変形に伴って前記幹糸８ｆ、８ｇに圧縮力が作用し、前記圧縮力によって幹糸８ｆ、８ｇと前記弾性体１２３ｇａ、１２３ｇｂ間に摩擦力が発生し、幹糸８ｆ、８ｇを一定の力で保持することができる。尚、図１３の（ｅ）は同図（ｄ）のＺ−Ｚ矢視点の断面図によって幹糸８ｆ、８ｇの挿入状態を表記した。尚、前記した弾性体の断面形状は円形であっても、角形であっても良い。また、板状弾性体にスリットを入れその間に挿入する形態であっても構わない。そして前記弾性体の材質はゴムや樹脂系、発泡体、また、板バネなどの金属体であっても構わない。尚、図１３においてはベース基板を回動させるためにベース基板１０４の下部に設けた台座基板１５５の端縁部に前記幹糸摩擦力保持器１２１を形成したが、図１２に示した前記台座基板は構成しな��でベース基板を回動させないベース基板固定型として、前記幹糸摩擦力保持器１２１をベース基板の端部に形成する構成にしても構わない。また、上述の摩擦力保持部は前記ガイド基板の端部に形成して前記幹糸８ａから８ｈに摩擦保持力を付与するように構成したが、前記上面板のスリット１０６（１０６ａと１０６ｇの総称）から前記ハリス７（７ａから７ｇ）が抜き出た上面板の上部に摩擦力保持部を形成して前記ハリス７に摩擦保持力を付与するように構成しても構わない。
【００２４】
請求項５を実現するための実施の形態の一例を図１４に示した。図１４について説明する。図１４に示すように台座基板１５５を船べり６０上に載置した時に、当該船べりよりも少なくともオーバーハングする長さに前記台座基板１５５の長さを確保し、当該台座基板１５５のイカ角を投入する側でない船内側で、前記台座基板をイカ角が投入される方向に対して直角方向に分割し、分割した台座基板の船内側の方をガイド基板１２０として、持ち運びを考慮し、収納がコンパクトになるように当該ガイド基板１２０と前記台座基板１５５とを蝶番１５７ａと１５７ｂによって折りたたみ可能に構成した。（台座基板を分割し、分割した台座基板の船内側の方をガイド基板とするように前述したが、これは台座基板に別材のガイド基板を蝶番１５７ａと１５７ｂによって係合したと同じであることは言うまでもない。）尚、台座基板１５５を船べり６０に設置して固定するための固定具４７ａと４７ｂのスペースを確保するため、その分、前記ガイド基板１２０は台座基板１５５よりも寸法を短くし、図１４に表記したように、台座基板を船べり６０上に載置し固定具４７ａと４７ｂによって前記台座基板１５５と船べり６０とを一体的に固定するように構成した。前記固定具４７ａ、４７ｂにはそれぞれ斜傾材６８ａ、６８ｂを固着しており、前記斜傾材は角度βを形成している。前述したガイド基板１２０を前記斜傾材６８ａ、６８ｂ上に載置して、前記ガイド基板に固着した弾性体固定ネジ７２ａ、７２ｂに固着したガイド基板保持弾性体７１ａ、７１ｂをそれぞれ、前記斜傾材に固着したフック７０ａと７０ｂに引掛ければ、前記ガイド基板保持弾性体７１ａ、７１ｂの弾性力でガイド基板１２０は前記斜傾材６８ａと６８ｂ上で保持されることになり、釣り船の揺動に対応することができる。前述のように台座基板１５５と、ガイド基板１２０を蝶番１５７ａ、１５７ｂとで折りたたみ可能に構成すれば図１４の（ｃ）に示すように収納サイズを小さく出来ること、および前記固定具４７ａ、４７ｂの傾斜材６８ａ、６８ｂに前記ガイド基板を載置することによって、前記ガイド基板を図１４に示すように傾斜してセット可能になり、このことによって図１３において表記した幹糸８ａから８ｆを各々の幹糸摩擦保持部１２２ａから１２２ｇに挿入しセットする時の操作性を向上させることができること等の効果がある。
【００２５】
本発明の代表的な構成例について、図１において説明する。図１においてベース基板１０４には、段落００２０の図１０の説明の中で詳述したイカ角の投入方向に上り傾斜に形成した隔壁１０３ａから１０３h、前記上り傾斜に形成した隔壁に固着することによってイカ角の投入方向に拡開した上面板１０５（１０５ａから１０５ｈの総称）、イカ角ストッパー１０７、および段落００２２の図１２の説明の中で詳述した第一のイカ角軸受台１５１(１５１ａから１５１ｇ)、第二のイカ角軸受台１５２が形成されており、当該ベース基板１０４と船べり６０の間には、前記台座基板１５５を蝶番１５６ａと１５６ｂによって回動自在に係合した。台座基板１５５と船べり６０の間に挿入している蝶番厚さ補正板１５８は固定具４７ａと４７ｂとで台座基板を固定するときに、後述する蝶番１５７ａと１５７ｂの厚み分を避けるためのものである。前記台座基板１５５は更に、蝶番１５７ａと１５７ｂによってガイド基板１２０と回動自在に係合されており、固定具４７ａと４７ｂによって前記台座基板１５５の端部を船べり６０と一体的に固持するように考案されている。図１の（ｂ）に表記したように、前記固定具４７ａと４７ｂにはそれぞれ斜傾材６８ａと６８ｂが固着されており、当該斜傾材の傾斜部に前記ガイド基板１２０を載置し、前記ガイド基板の両端にガイド基板保持弾性体７１ａと７１ｂのそれぞれの一方を固持し、他の一方を前記固定具４７ａと４７ｂに固着したフック７０ａと７０ｂにそれぞれ係合することによって、前記ガイド基板と固定具間を一定の弾性力で保持するように構成した。また、前記ガイド基板の端部には、幹糸摩擦力保持器１２１を形成し、幹糸８ａから８ｈを一定の摩擦力で保持するように構成した。前述の構成からなるイカ角投入器においてイカ角１ａから１ｇを投入する場合、３種類の投入形態が可能である。第一の投入形態として、収納したイカ角の本数が７本以下の場合、図１の（ｂ）示した形態のまま錘２３を従来の円筒パイプ式投入器と同じように遠投しても支障がないことを確認している。市販されているイカ角セットでは、組み込まれたイカ角の本数は７本が殆どであるのでこの場合、ベース基板を回動させないで図１の（ｂ）の形態で遠投しても支障がない。したがって、イカ角投入器においてセットできるイカ角本数を７本以下に限定すれば、台座基板を無くしてベース基板１０４を台座基板１５５と同じ長さに設定し、前記ベース基板を前記固定具４７ａ、４７ｂで船べり６０と一体的に固定して前記ベース基板の端部に前記した台座基板１５５の端部に形成した前記幹糸摩擦力保持器１２１を形成すれば、台座基板が無い非回動型イカ角投入器として構成しても構わない。ベース基板を回動させる必要はないのでこの場合は台座基板１５５と蝶番１５６ａ、１５６ｂは不要とした投入器として構成しても構わない。二つ目の投入形態としては、収納したイカ角の本数が８から９本以上になると、イカ角のハリスに結節した幹糸が、隣り合うスリット間で引っ掛かり投入不可になることがあるので、イカ角の本数が８から９本以上になる場合は、図１の（ｂ）の形態で投入し、投入した錘２３が着水したことを見定めてから図１０の（ｅ）と（ｆ）で表記したベース基板回動着脱器１６０のロックを解除してベース１０４を回動させ、図１の（ｃ）の形態にすれば支障なく投入することができる。第三の投入形態としては、錘２３を投入する場合、予めベース基板を回動させて図１の（ｃ）の形態にしておけば、イカ角の本数に関係なくスムースに投入することができる。但し、ベース基板１０４が回動した図１の（ｃ）の形態で錘２３を遠投すると、イカ角の軸端がスリットから抜け出せないので、前記第三の投入形態では舷側６１の１から３ｍ近傍に投入すれば良い。尚、一旦ベース基板を図１の（ｃ）の形態で回動させてイカ角を投入した場合、イカ角を引上げる時、ベース基板１０４を図１の（ｂ）の形態に戻して図１０の（ｅ）と（ｆ）で表記したベース基板回動着脱器１６０をロックしてから引上げることになる。尚、実施例の代表例として、図１に１０３ａから１０３ｈの上面板１０３がイカ角の投入方向に向かって拡開した形態を表記したが、図１１に表記した前記上面板１０３がベース基板１０４の面に対して平行な形態の投入器の場合は、前記した第三の投入形態で投入すればよい。尚、図１の構成において、錘２３を海中に投入するときに、前記錘が海中に沈下するに伴い引き出されるハリス７ａから７ｇ、および前記各々のハリスと幹糸８ａから８ｇを結接することによって形成されるコブ状の結成点９ａから９ｇが、前記したイカ角軸端ストッパー１０７などに接触してダメージを受けることに対して、イカ角ストッパー１０７の後方にロールバー保持台１３５で両端を保持した１３４に示す円筒、若しくは円柱等で形成したロールバー１３４の高さが、前記ハリスが引き出される前記イカ角ストッパーの上面よりも高くなるように構成してもかまわない。
【符号の説明】
【００２６】
１  プラスチック製イカ角
２  プラスチック製イカ角
３  スッテ
４  スッテ
５  カンナ
６  イカ角軸
７  ハリス
８  幹糸
９  結接点
１０  円筒パイプ
１１  電動リール
１２  釣竿
２１  サルカン（またはヨリモドシ）
２２  フック
２３  錘
４７  固定具
６０  船べり
６１  舷側
６６  ハンドル
６７  ネジ
６８  斜傾材
６９  斜傾材の斜面
７０  フック
７１  ガイド基板保持弾性体
７２  弾性体固定ネジ
１０３  隔壁
１０４  ベース基板
１０５  上面板
１０６  スリット
１０７  イカ角軸端ストッパー
１０８  イカ角収納部
１２０  ガイド基板
１２１  幹糸摩擦力保持器
１２２  幹糸摩擦力保持部
１３０  ハリス摩擦力保持器
１３１  ハリス摩擦力保持部
１３２  ハリス摩擦力保持用弾性体ａ
１３３  ハリス摩擦力保持用弾性体ｂ
１３４  ロールバー
１３５  ロールバー保持台
１３６  弾性体配置溝
１５１  第一のイカ角軸受台
１５２  第二のイカ角軸受台
１５５  台座基板
１５６  蝶番１
１５７  蝶番２  
１５８  蝶番厚さ補正板
１５９  傾斜制限器  
１６０  ベース基板の回動着脱器
１６１  スライダー
１６２  スライダー把持器
１６３  スライダーガイド
【図１】
2015019648.tif 000003
【図２】
2015019648.tif 000004
【図３】
2015019648.tif 000005
【図４】
2015019648.tif 000006
【図５】
2015019648.tif 000007
【図６】
2015019648.tif 000008
【図７】
2015019648.tif 000009
【図８】
2015019648.tif 000010
【図９】
2015019648.tif 000011
【図１０】
2015019648.tif 000012
【図１１】
2015019648.tif 000013
【図１２】
2015019648.tif 000014
【図１３】
2015019648.tif 000015
【図１４】
2015019648.tif 000016